(57)【特許請求の範囲】
【請求項１】
食器類を収容して該食器類を洗浄する洗浄槽と、該洗浄槽の前側壁を開放して形成された食器類の出し入れ口と、該出し入れ口の下方位置にヒンジを介して連結されて該出し入れ口を開閉自在とし、該出し入れ口の周縁にシール部材を介して当接し該洗浄槽を封止する扉と、前記洗浄槽の下方位置に設けられて該洗浄槽から漏れた水を受けるトレー状の水受けパンとを備え、前記扉は、前記洗浄槽に臨む内壁板と、該内壁板に所定の間隙を存して対向して外側に露出する外壁板とを備え、前記扉の下方位置に蹴込みが形成される食器洗浄機において、
前記出し入れ口の下方位置における前記シール部材の下縁に沿って前記蹴込みの上方に延設され、該シール部材による封止部から前記洗浄槽内の水が漏れたとき、該封止部から出し入れ口の下方へ滴下又は流下する水を受ける樋状の出し入れ口水受け部と、
該出し入れ口水受け部の水を前記水受けパンへ導出する第１導出パイプと、
前記扉に設けられ、該扉の内壁板と外壁板との間隙の下方に位置して、該扉の内壁板の下方へ滴下又は流下する水を受ける樋状の扉水受け部と、
前記扉の開閉揺動に追従して撓み自在であり、前記扉水受け部の水を前記水受けパンへ導出する第２導出パイプとを備えることを特徴とする食器洗浄機。
【請求項２】
前記出し入れ口の底縁部に連設され、前記扉の開閉時に該扉の内面に付着する洗浄水の滴下を受けて前記洗浄槽内に回収する洗浄槽水受け部を備えることを特徴とする請求項１記載の食器洗浄機。
【請求項３】
前記扉は、前記内壁板を貫通しシール部材を介して該内壁板に連結保持された洗剤投入器を備え、
前記扉水受け部は、前記洗剤投入器のシール部材の下方に位置して、該シール部材による封止部から前記洗浄槽内の水が漏れたときに該封止部から扉の内壁板の下方へ滴下又は流下する水を受けることを特徴とする請求項１又は２記載の食器洗浄機。
【請求項４】
前記扉水受け部の第２導出パイプの終端部は、前記出し入れ口水受け部の第１導出パイプに接続されていることを特徴とする請求項１乃至３の何れか１項記載の食器洗浄機。
【請求項５】
前記水受けパンに溜まった水を検知する水検知手段と、該水検知手段による水の検知に応じて水漏れを報知する報知手段とを設けたことを特徴とする請求項１乃至４の何れか１項記載の食器洗浄機。
【発明の詳細な説明】
【０００１】
【発明の属する技術分野】
本発明は、食器洗浄機に関する。
【０００２】
【従来の技術】
従来、前面に設けられた扉を介して洗浄槽への食器類の出し入れを行なう食器洗浄機が知られている。洗浄槽内には、食器類に向けて洗浄水を噴射する洗浄ノズルが設けられている。更に、この種の食器洗浄機には、前記洗浄ノズルに洗浄水を供給する循環ポンプや、洗浄槽から汚水を排出する排水ポンプが洗浄槽の下方位置に設けられており、それに伴う複数の給排水管が設けられている。
【０００３】
また、この種の食器洗浄機においては、循環ポンプや排水ポンプと各給排水管との接続部等から水漏れが生じた場合に、該食器洗浄機を設置した床面が水浸しになることを防止するために、該食器洗浄機の底部に上記水漏れを受けるトレー状の水受けパンが設けられている。更に、該水受けパンに溜まった水を検知するセンサ及び該センサによる水検知に応じて使用者に水漏れを報知する報知手段が設けられており、これによって、水漏れが生じたとき速やかに使用者に修理を促すことができる。
【０００４】
ところで、食器洗浄機の運転中には、前記洗浄槽内の洗浄ノズルから噴射される洗浄水が洗浄槽の内壁や扉に衝突して洗浄槽内が加圧状態となる。このため、前記洗浄槽を開閉する扉は、該洗浄槽に形成された食器類の出し入れ口をゴム製のシール部材を介して封止するようになっており、食器洗浄機の運転中の扉からの水漏れが防止されている。
【０００５】
しかし、食器洗浄機を長期に亘って使用すると、前記シール部材の劣化によって該シール部材に弾力の低下や亀裂が生じ、食器洗浄機の運転中に扉からの水漏れが発生するおそれがある。そのため、前記シール部材を定期的に交換することで、扉による洗浄槽の封止状態を良好に維持することができるが、万一劣化したシール部材の交換を怠ったために扉からの水漏れが生じた場合には、扉の直下位置に設けられた所謂蹴込みの床面を濡らしてしまう不都合がある。
【０００６】
また、この種の食器洗浄機においては、洗浄運転が終了して食器類を取り出すために前記扉の開閉を行なった際に、扉の内面側に付着する洗浄水が流下して床にこぼれ落ちることがある。そのため、扉の開閉時に流下する洗浄水を前記水受けパンによって受けるようにした食器洗浄機が知られている（例えば、特開平１０−９４５０９号公報参照）。
【０００７】
この構成を採用することにより、扉の開閉時に流下する水だけでなく、シール部材の劣化によって漏れた水をも水受けパンで受けることができ、床が濡れるといったことを防止することができる。
【０００８】
しかし、扉の開閉時に流下する洗浄水とシール部材の劣化によって漏れた水とを共に前記水受けパンによって受けられるようにすると、水受けパンに水が溜まる度に前記センサが検知して使用者に報知され、水漏れ（即ち、前記シール部材の交換や各配管の修理が必要となる事態）であるのか、単に扉の開閉に伴う水の流下（即ち、修理等が不要な正常な状態）であるのかが判断できないために、使用者に混乱が生じる不都合がある。
【０００９】
【発明が解決しようとする課題】
かかる不都合を解消して、本発明は、扉の封止のために設けられたシール部材の劣化等によって扉から水が漏れても、床面を濡らすことなく該水を前記水受けパンにより確実に回収することができ、しかも、水漏れのみを報知して使用者の混乱を防止することができる食器洗浄機を提供することを目的とする。
【００１０】
【課題を解決するための手段】
本発明は、かかる目的を達成するためになされたものであり、食器類を収容して該食器類を洗浄する洗浄槽と、該洗浄槽の前側壁を開放して形成された食器類の出し入れ口と、該出し入れ口の下方位置にヒンジを介して連結されて該出し入れ口を開閉自在とし、該出し入れ口の周縁にシール部材を介して当接し該洗浄槽を封止する扉と、前記洗浄槽の下方位置に設けられて該洗浄槽から漏れた水を受けるトレー状の水受けパンとを備え、前記扉は、前記洗浄槽に臨む内壁板と、該内壁板に所定の間隙を存して対向して外側に露出する外壁板とを備え、前記扉の下方位置に蹴込みが形成される食器洗浄機において、前記出し入れ口の下方位置における前記シール部材の下縁に沿って前記蹴込みの上方に延設され、該シール部材による封止部から前記洗浄槽内の水が漏れたとき、該封止部から出し入れ口の下方へ滴下又は流下する水を受ける樋状の出し入れ口水受け部と、該出し入れ口水受け部の水を前記水受けパンへ導出する第１導出パイプと、前記扉に設けられ、該扉の内壁板と外壁板との間隙の下方に位置して、該扉の内壁板の下方へ滴下又は流下する水を受ける樋状の扉水受け部と、前記扉の開閉揺動に追従して撓み自在であり、前記扉水受け部の水を前記水受けパンへ導出する第２導出パイプとを備えることを特徴とする。
【００１１】
前記出し入れ口水受け部を設けたことにより、例えば、前記シール部材が劣化して扉のシール性が低下しても、食器の洗浄運転中にシール部材による封止部を介して洗浄槽から漏れて出し入れ口の下方へ滴下又は流下する水を、該出し入れ口水受け部によって確実に受けることができ、前記蹴込みの床面が水浸しとなることを防止することができる。
更に、前記出し入れ口水受け部によって受けられた水は、前記第１導出パイプを経て前記水受けパンに溜まる。これによって、食器洗浄機を設置した床面が水浸しとなることを防止することができるだけでなく、出し入れ口水受け部及び第１導出パイプ以外の部分、例えば、食器洗浄機のハウジング等に漏れた水が付着することが無いので、食器洗浄機のハウジング等の腐食や汚染も防止することができる。
【００１２】
また、前記扉水受け部を設けたことにより、扉の外壁板と内壁板との間への水漏れが生じても、扉の内壁板の下方へ滴下又は流下する水を前記扉水受け部により確実に受けることができ、更に、前記第２導出パイプによって該水を前記水受けパンに円滑に導出することができるので、食器洗浄機を設置した床面が水浸しとなることを防止することができる。
【００１３】
更に、前記出し入れ口水受け部は、前記蹴込みの上方に設けたので、該蹴込みの邪魔になることがなく、例えば、食器洗浄機をシステムキッチンに設置する場合にも良好な外観を得ることができる。
【００１４】
また、本発明においては、前記出し入れ口の底縁部に連設され、前記扉の開閉時に該扉の内面に付着する洗浄水の滴下を受けて前記洗浄槽内に回収する洗浄槽水受け部を備えることを特徴とする。
【００１６】
本発明によれば、洗浄運転後の扉の開閉動作に伴って該扉に付着する水が流下した場合には、前記水受けパンに流下することなく、前記洗浄槽水受け部によって洗浄槽内に回収することができる。
【００１８】
また、本発明において、前記扉は、前記内壁板を貫通しシール部材を介して該内壁板に連結保持された洗剤投入器を備え、前記扉水受け部は、前記洗剤投入器のシール部材の下方に位置して、該シール部材による封止部から前記洗浄槽内の水が漏れたときに該封止部から扉の内壁板の下方へ滴下又は流下する水を受けることを特徴とする。
【００１９】
前記扉には、食器類の洗浄運転に際して洗浄槽内に洗剤を投入する洗剤投入器が扉の内壁板を貫通して該内壁板に保持されている場合がある。この場合には、扉の内壁板と洗剤投入器との間にシール部材を介在させることで、洗浄槽内から扉の外壁板と内壁板との間への水漏れが防止されている。しかし、該シール部材が劣化したときには、該シール部材のシール性が低下して扉の外壁板と内壁板との間への水漏れが生じるおそれがある。
【００２０】
そこで、前記扉水受け部を設けたことにより、扉の内壁板と洗剤投入器との間のシール部材が劣化してそのシール性が低下し、扉の外壁板と内壁板との間への水漏れが生じても、扉の内壁板の下方へ滴下又は流下する水を前記扉水受け部により確実に受けることができ、更に、前記第２導出パイプによって該水を前記水受けパンに円滑に導出することができるので、食器洗浄機を設置した床面が水浸しとなることを防止することができる。
【００２１】
また、このとき、前記扉水受け部の第２導出パイプの終端部を、前記出し入れ口水受け部の第１導出パイプに接続しておくことが好ましい。これによって、前記扉水受け部の第２導出パイプから導出される水を、出し入れ口水受け部の第１導出パイプからの水に合流させて前記水受けパンに導出させることができるので、扉水受け部の第２導出パイプの距離を短縮してコンパクトに構成することができる。
【００２２】
また、本発明においては、前記水受けパンに溜まった水を検知する水検知手段と、該水検知手段による水の検知に応じて水漏れを報知する報知手段とを設けることが好ましい。
【００２３】
これによれば、該水受けパンに水が溜まると前記水検知手段により検知され、前記報知手段によって水漏れが生じたことが使用者に報知される。これにより、シール部材の交換を使用者に速やかに促すことができる。
【００２４】
一方、洗浄運転後の扉の開閉動作に伴って該扉に付着する水が流下した場合には、前記洗浄槽水受け部によって洗浄槽内に回収され、前記水受けパンに流下することはない。これによって、使用者への報知は水漏れとして修理が必要な事態に限定され、使用者の混乱を回避することができる。
【００２８】
【発明の実施の形態】
本発明の一実施形態を図面に基づいて説明する。図１は本実施形態の食器洗浄機の概略構成を示す説明的縦断面図、図２は本実施形態の食器洗浄機の要部を平面視して示す横断面説明図、図３は出し入れ口水受け部の構成を示す説明的斜視図、図４は扉水受け部の構成を示す説明的斜視図、図５は水漏れ検知センサの取り付け構造を示す説明図である。
【００２９】
本実施形態の食器洗浄機１は、図１に示すように、ハウジング２の内部に洗浄槽３を備え、該洗浄槽３の内部に食器類Ｗを出し入れする出し入れ口４を開閉自在に閉塞する扉５を前方側に備えている。該食器洗浄機１は床Ｆに設置されたとき、扉５の下方位置に蹴込みＳが形成される。
【００３０】
前記洗浄槽３は、食器カゴＸに支持した食器類Ｗを収容して該食器類Ｗの洗浄を行なう。該洗浄槽３には、食器類Ｗに向けて洗浄水を噴射する洗浄ノズル６が設けられている。また、洗浄槽３の上部には内部の水蒸気を排出する排気ダクト７が接続されている。該洗浄槽３の下部には、図示しない残菜フィルタを介して洗浄水を貯留する貯水槽８が設けられており、該洗浄槽３の下方には貯水槽８の洗浄水を前記洗浄ノズル６に向かって循環供給する洗浄ポンプ９が設けられている。なお、図示しないが、ハウジング２の内部には吸水や排水を行なう複数の弁装置や複数の配管が設けられている。そして、これらの弁装置や配管等からの水漏れを受けるために、図１に示すように、ハウジング２の底部にはトレー状の水受けパン１０が設けられている。
【００３１】
該水受けパン１０は、前端部に把持部１１が形成されており、ハウジング２の底板１２上から前方に引き出し自在に設けられている。該水受けパン１０の後側上部には水漏れ検知センサ（水検知手段）１３が設けられている。該水漏れ検知センサ１３は、図示しない報知手段に接続されており、水受けパン１０に溜まる水を検知して水漏れを使用者に報知する。また、該水漏れ検知センサ１３は、後述するように水受けパン１０の引き出しや押し込みに際して該水受けパン１０の起立する後縁部１４との干渉を防止する干渉防止手段１５を備えている。
【００３２】
前記扉５は外壁板１６と内壁板１７とを備えて構成されている。外壁板１６には、運転操作パネル１８や開閉操作を行なう際の図示しない把持部が設けられている。内壁板１７の下縁には、洗浄槽３の底板１９に当接して洗浄水の溢れ出しを防止するゴム製ブレード２０が設けられている。
【００３３】
また、内壁板１７は、該内壁板１７の内側に張り出す後述の垂れ受け（洗浄槽水受け部）２１の上端縁にゴム製シール部材２２を介して圧接する底部封止板２３を備えている。該垂れ受け２１は、扉５の開閉時に内壁板１７に付着する水が流下したとき、その水を受けて洗浄槽３内に回収する。更に、内壁板１７には、該内壁板１７を貫通して洗剤投入器２４がゴム製シール部材２５を介して固定支持されている。該洗剤投入器２４は洗浄運転に際して洗浄槽３の内部に洗剤を投入するものである。
【００３４】
該扉５は、図２（ａ）に示すように、洗浄槽３の両側の下部から前方に延出する一対のヒンジ２６によって揺動自在に軸支されている。これによって、該扉５は、その上端側が引き倒されて洗浄槽３を開放する。また、図１に示すように、該扉５が洗浄槽３を閉塞した状態にあるときには、洗浄槽３の上端縁に設けられたゴム製シール部材２７によって扉５の内壁板１７の上縁が封止されると共に、図２（ａ）に示すように、洗浄槽３の両側端縁に設けられた一対のゴム製シール部材２８，２９によって扉５の内壁板１７の両側縁が封止される。該洗浄槽３の下端縁（前記垂れ受け２１の上端縁）は、前述したように、扉５の底部封止板２３に設けられたゴム製シール部材２２によって封止される。これによって、扉５と洗浄槽３の出し入れ口４とが当接される全周には各シール部材２２，２７，２８，２９によって洗浄槽３内の洗浄水の漏れを防止する第１封止部３０が形成される。
【００３５】
また、図１及び図２（ａ）に示すように、前記洗剤投入器２４の外周全周においては、前記シール部材２５が設けられていることによって、扉５の内壁板１７の内方への水漏れを防止する第２封止部３１が形成される。
【００３６】
そして、図１に示すように、洗浄槽３の出し入れ口４の下方位置には、第１水受けユニット３２が設けられており、扉５の外壁板１６と内壁板１７との間には第２水受けユニット３３が設けられている。
【００３７】
前記第１水受けユニット３２は、前記第１封止部３０の下方であって蹴込みＳの上方に設けられた樋状の第１水受け案内部材（出し入れ口水受け部）３４と、該第１水受け案内部材３４に始端が接続されて前記水受けパン１０の上部に終端が開口するように延設された第１導出パイプ３５とによって構成されている。該第１水受け案内部材３４は、図２（ｂ）及び図３に示すように、両側が一対のヒンジ２６によって支持されている。該第１水受け案内部材３４はその周囲に起立する周壁３６を備え、底部に長手方向に延びる水案内溝３７が形成されている。該水案内溝３７は、該第１水受け案内部材３４の両側から略中央部に向かって下降方向に傾斜しており、該水案内溝３７の最下位置には、前記第１導出パイプ３５の始端部が連結されている。
【００３８】
前記第２水受けユニット３３は、図１に示すように、前記第２封止部３１の下方であって且つ扉５の前記底部封止板２３の下方において、扉５の外壁板１６と内壁板１７との間に収納された状態に設けられた樋状の第２水受け案内部材（扉水受け部）３８と、該第２水受け案内部材３８に始端が接続されて前記第１水受けユニット３２の第１導出パイプ３５内部に終端部が挿入された第２導出パイプ３９とによって構成されている。該第２水受け案内部材３８は、図２（ａ）及び図４に示すように、扉５の外壁板１６の内面側に一体に設けられ、扉５の幅方向に延びる板状の底板部４０と、扉５の内壁板１７側の側縁に起立する側壁４１とによって構成されている。該底板部４０は、該第２水受け案内部材３８の両側から略中央部に向かって下降方向に傾斜しており、該底板部４０の最下位置には、前記第２導出パイプ３９の始端部が連結されている。該第２導出パイプ３９は、扉５の開閉揺動に追従して撓ませることができるように柔軟性を有するものが採用されており、具体的には、ビニール製パイプや蛇腹状の軟質合成樹脂製パイプを採用することが好ましい。
【００３９】
前記第１水受けユニット３２及び第２水受けユニット３３を設けたことにより、食器洗浄機１の運転中に前記第１封止部３０及び第２封止部３１から洗浄水が漏れても、漏れ出した洗浄水を確実に前記水受けパン１０に導出させることができ、蹴込みＳの床Ｆが濡れることを防止することができる。即ち、図１を参照して説明すれば、前記第１封止部３０の各シール部材２２，２７，２８，２９が劣化してシール性が低下すると、食器洗浄機１の運転中に前記第１封止部３０から洗浄水が漏れするおそれがある。該第１封止部３０から漏れた水は、洗浄槽３の出し入れ口４の周囲に沿って流下するが、その下方に設けられている前記第１水受けユニット３２の第１水受け案内部材３４によって受けられる。第１水受け案内部材３４によって受けられた水は、水案内溝３７に沿って中央部に集められ、第１導出パイプ３５によって水受けパン１０に導出される。
【００４０】
一方、前記第２封止部３１のシール部材２５が劣化してシール性が低下した場合にも、食器洗浄機１の運転中に前記第２封止部３１から洗浄水が漏れするおそれがある。該第２封止部３１から漏れた水は、扉５の内壁板１７の裏面を伝って底部封止板２３上を流下する。そしてこのとき流下した水は、前記第２水受けユニット３３の第２水受け案内部材３８によって受けられる。第２水受け案内部材３８によって受けられた水は、底板部４０の傾斜に沿って中央部に集められ、第２導出パイプ３９によって前記第１導出パイプ３５内に排出され、該第１導出パイプ３５の終端から水受けパン１０に導出される。これにより、食器洗浄機１の運転中に万一前記第１封止部３０及び第２封止部３１から洗浄水が漏れても、蹴込みＳの床Ｆを濡らすことなく、漏れた水を水受けパン１０に確実に導出させることができる。
【００４１】
そして、水受けパン１０に溜まった水は、前記水漏れ検知センサ１３により検知され、図示しない報知手段によって水漏れが生じた旨が使用者に報知される。ここで、該水受けパン１０は、把持部１１を把持して前方に引き出すことができ、水受けパン１０に溜まった水を早期に捨ることができるので、水の溜まり過ぎによる溢れ等を防止することができる。また、使用者が水受けパン１０を引き出して水受けパン１０に付着するハウスダスト等の汚染を取り除くことができるので、前記水漏れ検知センサ１３による検知精度を高い状態に維持することができる。
【００４２】
更に、前記垂れ受け２１によって扉５の開閉時に流下する水が洗浄槽３に回収されるので、水受けパン１０に流下して水漏れ検知センサ１３によって検知されることがなく、扉５の開閉時に水が流下する場合のように修理等が不要な正常な状態についての使用者への報知を防止して、使用者の混乱を回避することができる。
【００４３】
また、図１に示すように、本実施形態においては、前記干渉防止手段１５を設けて、水受けパン１０の引き出しや押し込みに際して、水受けパン１０の起立する後縁部１４と水漏れ検知センサ１３との干渉が防止されている。該干渉防止手段１５は、図５（ａ）に示すように、ハウジング２の後壁４２から水平方向に延設された支持部４３と、該支持部４３に回転軸４４を介して揺動自在に支持された揺動部材４５とを備えている。該揺動部材４５は水平に延びて先端に前記水漏れ検知センサ１３を支持するセンサ保持部４６と、該センサ保持部４６の後端から下方に延びる押圧部４７とを備え、前記回転軸４４に外挿されて揺動部材４５を図中において右回り（時計回り）となる回転方向に付勢するバネ４８を備えている。図５（ａ）においては、水受けパン１０の押し込み状態を示しており、該水受けパン１０の後縁部１４が揺動部材４５の押圧部４７を押圧して水漏れ検知センサ１３が検知可能な状態に支持される。水受けパン１０を引き出したときには、図５（ｂ）に示すように、該水受けパン１０の後縁部１４による揺動部材４５の押圧部４７の押圧が解除され、バネ４８の付勢によって、水漏れ検知センサ１３が上昇される。このように、該干渉防止手段１５を設けておけば、水受けパン１０と水漏れ検知センサ１３との干渉が防止されるだけでなく、水漏れ検知センサ１３の先端（図中下端）を水受けパン１０の上面近傍に位置させることができ、水受けパン１０に溜まる水が僅かであっても確実に検出することができる。
【００４４】
なお、本実施形態においては、前記第１水受けユニット３２の第１水受け案内部材３４を一対のヒンジ２６によって支持したものを示したが、これに限るものではなく、例えば、図示しないが、洗浄槽３の出し入れ口４の下方に位置するハウジング２の前面側にステー等を用いて第１水受け案内部材３４を支持するようにしてもよい。
【００４５】
また、本実施形態においては、前記第２導出パイプ３９の後端部を前記第１導出パイプ３５の先端部に挿入してコンパクトに構成したものを示したが、例えば、図示しないが、第２導出パイプ３９の後端を第１導出パイプ３５の側壁に連通させて接続してもよく、また、前記第２導出パイプ３９を前記第１導出パイプ３５と異なる位置に延設して、該第２導出パイプ３９の終端を水受けパン１０の上方で開放させるように構成してもよい。
【図面の簡単な説明】
【図１】  本発明の一実施形態の食器洗浄機の概略構成を示す説明的縦断面図。
【図２】  本実施形態の食器洗浄機の要部を平面視して示す横断面説明図。
【図３】  出し入れ口水受け部の構成を示す説明的斜視図。
【図４】  扉水受け部の構成を示す説明的斜視図。
【図５】  水漏れ検知センサの取り付け構造を示す説明図。
【符号の説明】
１…食器洗浄機、３…洗浄槽、４…出し入れ口、５…扉、１０…水受けパン、１３…水漏れ検知センサ（水検知手段）、１６…外壁板、１７…内壁板、２１…垂れ受け（洗浄槽水受け部）、２２，２５，２７，２８，２９…シール部材、２４…洗剤投入器、２６…ヒンジ、３０…第１封止部（封止部）、３１…第２封止部（封止部）、３４…第１水受け案内部材（出し入れ口水受け部）、３５…第１導出パイプ、３８…第２水受け案内部材（扉水受け部）、３９…第２導出パイプ、Ｗ…食器類、Ｓ…蹴込み。
【図１】
0003967512.tif 000002
【図２】
0003967512.tif 000003
【図３】
0003967512.tif 000004
【図４】
0003967512.tif 000005
【図５】
0003967512.tif 000006